(57)【要約】【課題】ユーザーが直感的に空調制御を行なえる空気調和機を提供すること。【解決手段】リモコン２０１に、タッチパネル２０２と、前記タッチパネル２０２に入力された座標位置を検出する入力検出部４０２と、検出された座標位置を元に空調制御を行なう領域を設定する制御領域設定部５０２とを備え、ユーザーが任意の領域を直感的にタッチパネル２０２へ入力する。【選択図】図１
2011185471.tif 000002
【特許請求の範囲】
【請求項１】
リモコンに、タッチパネルと、前記タッチパネルに入力された座標位置を検出する入力検出部と、検出された座標位置情報を元に空調制御を行なう領域を設定する制御領域設定部を備え、ユーザーが任意に制御領域を設定する空気調和機。
【請求項２】
リモコンに前記入力検出部から検出された座標位置情報を元に各領域の設定温度を設定する領域温度設定部を備え、前記制御領域設定部から得られた各領域の設定温度を設定する請求項１記載の空気調和機。
【請求項３】
室内機本体に各領域の現在温度を検出する領域温度検出手段と、前記室内機本体から取得した温度情報を元に各領域の温度分布状態を判定する領域温度判定部を備え、前記領域温度判定部から得られた各領域の現在温度情報をタッチパネルへ表示する請求項１または２に記載の空気調和機。
【請求項４】
室内機本体に領域形状・障害物を検出する領域形状検出手段と、前記室内機本体から取得した領域情報を元に領域形状・障害物が存在する領域を判定する領域形状判定部を備え、前記領域形状判定部から得られた領域形状・各領域の障害物情報をタッチパネルへ表示する請求項１〜３のいずれか１項に記載の空気調和機。
【請求項５】
室内機本体に人が存在する領域を検出する人体検出手段と、前記室内機本体から取得した人体検知情報を元に人が存在する領域を判定する人体判定部を備え、前記人体判定部から得られた人の存在位置情報をタッチパネルへ表示する請求項１〜４のいずれか１項に記載の空気調和機。
【請求項６】
リモコンに、前記入力検出部から検出された入力情報を元に領域形状・障害物を設定する領域形状設定部を備え、ユーザーが任意に領域形状・障害物情報を設定する請求項１〜５のいずれか１項に記載の空気調和機。
【請求項７】
リモコンに、前記入力検出部から検出された入力情報を元に室内機本体の設置位置を設定する設置位置設定部を備え、前記設置位置設定部で設定された室内機本体の設置位置をタッチパネルへ表示する請求項１〜６のいずれか１項に記載の空気調和機。
【請求項８】
コンピュータに請求項１〜７のいずれか１項に記載の空気調和機の少なくとも一部を実行させるためのプログラム。
【発明の詳細な説明】
【技術分野】
【０００１】
本発明は、室内機、室外機、リモコンから構成される空気調和機に関し、使用者の操作性を向上させるユーザーインターフェース技術に関するものである。
【背景技術】
【０００２】
近年、家庭用ルームエアコン等の空気調和機は、多機能化・高機能化に伴い、室内機本体に、赤外線センサ等の人体検知センサを搭載することにより、人が存在する領域を自動で快適に温度制御したり、複数のフラップを搭載、吹き出し口を増やす等の様々な気流制御技術を搭載することにより、部屋の隅々まで温度制御したりすることが可能となっている。
【０００３】
しかしながら、室内機本体は様々な温度制御、空調制御を自動で運転可能となったが、その反面、必要以上に部屋全体を運転してしまうため省エネ運転できない、といった課題や、ユーザーが本当に必要な領域のみ空調制御を行ないたい場合、風向制御が複雑になっているため、ユーザーが自分で風向を確認しながら、リモコンで細かく設定する必要がある、といった操作上の課題が発生するようになった。
【０００４】
そこで、上記課題を解決する手段として、リモコンに気流を送る領域を指定するボタンを搭載する手段（例えば、特許文献１参照）があった。
【０００５】
ここで、特許文献１に記載された空気調和機の原理モデルを図１３に示す。図１３において、リモコン２０１は表示部９０１と、室内機１０１が温度制御を行なう領域イ〜ヘを指定する領域指定ボタン９０２〜９０６と、室内機１０１へ設定データを送信するリモコン送信部２０３から構成される。
【０００６】
以上のように構成された空気調和機は、ユーザーが領域指定ボタン９０２〜９０６で温度制御を行ないたい領域を指定することにより、室内機１０１は指定領域の温度制御を行なうことが可能となるため、ユーザーの操作性を向上させると共に、必要以上に部屋全体を運転することなく、省エネ運転することができる。
【先行技術文献】
【特許文献】
【０００７】
【特許文献１】特開２００７−１４７１２０号公報
【発明の概要】
【発明が解決しようとする課題】
【０００８】
しかしながら、前記従来の手段では、複数の領域を指定する場合に面倒である、予め決められた領域しか指定できない、といった課題や、領域を細かく指定させる場合は、領域を指定するボタン数が増えさらに設定が困難になる、といった課題を有していた。
【０００９】
そこで本発明は、ユーザーが直感的に、任意の領域を容易に指定することが可能となる空気調和機を提供することを目的とする。
【課題を解決するための手段】
【００１０】
本発明は、前記従来の課題を解決するために、リモコンに、タッチパネルと、タッチパネルに入力された座標位置を検出する入力検出部と、検出された座標位置情報を元に温度制御を行なう領域を設定する制御領域設定部を備えた空気調和機としたものである。
【発明の効果】
【００１１】
本発明は、タッチパネルに入力されたタッチ操作を検出し、検出された入力情報を元に温度制御を行なう領域を設定することが可能となるため、ユーザーが直感的に、任意形状、任意領域数を指定することが可能となり、さらなる省エネ運転をすることが可能となる。
【図面の簡単な説明】
【００１２】
【図１】本発明の実施の形態１における空気調和機の構成図
【図２】本発明の実施の形態１におけるリモコン構成図
【図３】本発明の実施の形態１におけるフローチャート
【図４】本発明の実施の形態１におけるフローチャート
【図５】本発明の実施の形態１におけるリモコン表示画面の図
【図６】本発明の実施の形態２における空気調和機の構成図
【図７】本発明の実施の形態２におけるリモコン構成図
【図８】本発明の実施の形態２におけるフローチャート
【図９】本発明の実施の形態２におけるリモコン表示画面の図
【図１０】本発明の実施の形態３におけるリモコン構成図
【図１１】本発明の実施の形態３におけるフローチャート
【図１２】本発明の実施の形態３におけるリモコン表示画面の図
【図１３】従来の空気調和機の構成図
【発明を実施するための形態】
【００１３】
第１の発明は、リモコンに、タッチパネルと、前記タッチパネルに入力された座標位置を検出する入力検出部と、検出された座標位置情報を元に空調制御を行なう領域を設定する制御領域設定部とを備え、ユーザーが任意の領域を直感的に指定することが可能となるため、ユーザーは容易に領域指定を行なうことができる。
【００１４】
第２の発明は、特に、第１の発明の空気調和機のリモコンにおいて、前記入力検出部から検出された座標位置情報を元に各領域の設定温度を設定する領域温度設定部を備え、ユーザーが指定領域の設定温度を直感的に指定することが可能となるため、ユーザーは容易に指定領域の温度制御を行なうことができる。
【００１５】
第３の発明は、特に、第１または第２の発明の空気調和機において、室内機本体に各領域の現在温度を検出する領域温度検出手段と、前記室内機本体から取得した温度情報を元に各領域の温度分布状態を判定する領域温度判定部を備え、各領域の現在温度情報をタッチパネルへ表示することが可能となるため、ユーザーは容易に各領域の温度情報を取得することができ、適切な領域指定と温度制御を行なうことができる。
【００１６】
第４の発明は、特に、第１から第３のいずれか１つの発明の空気調和機において、室内機本体に領域形状・障害物を検出する領域形状検出手段と、前記室内機本体から取得した領域情報を元に領域形状・障害物が存在する領域を判定する領域形状判定部を備え、領域形状・各領域の障害物情報をタッチパネルへ表示すること可能となるため、ユーザーは容易に各領域の領域形状と障害物情報を取得することができ、適切な領域指定と温度制御を行なうことができる。
【００１７】
第５の発明は、特に、第１から第４のいずれか１つの発明の空気調和機において、室内機本体に人が存在する領域を検出する人体検出手段と、前記室内機本体から取得した人体検知情報を元に人が存在する領域を判定する人体判定部を備え、人の存在位置情報をタッチパネルへ表示することが可能となるため、ユーザーは容易に各領域の人の存在情報を取
得することができ、適切な領域指定と温度制御を行なうことができる。
【００１８】
第６の発明は、特に、第１から第５のいずれか１つの発明の空気調和機において、リモコンに前記入力検出部から検出された入力情報を元に領域形状・障害物を設定する領域形状設定部を備え、ユーザーは任意の領域形状と障害物情報を設定することが可能となるため、室内機本体は設定された領域形状情報を元に最適な空調制御を行なうことができる。
【００１９】
第７の発明は、特に、第１から第６のいずれか１つの発明の空気調和機において、リモコンに前記入力検出部から検出された座標位置情報を元に室内機本体の設置位置を設定する設置位置設定部を備え、前記設置位置設定部で設定された室内機本体の設置位置をタッチパネルへ表示することが可能となるため、ユーザーは直感的に適切な領域指定を行なうことができる。
【００２０】
第８の発明は、コンピュータに第１から第７のいずれか１つの発明の少なくとも一部を実行させるプログラムであり、汎用コンピュータやサーバーを用いて本発明の全てもしくは一部を容易に実現することができる。
【００２１】
以下、本発明の実施の形態について、図面を参照しながら説明する。なお、この実施の形態によって本発明が限定されるものではない。
【００２２】
（実施の形態１）
図１および図２は、本発明における第１の実施の形態における空気調和機とリモコンの構成図を示したものである。
【００２３】
図１において、室内機１０１は、上下フラップ１０２と、左右フラップ１０３と、リモコン２０１から送信されたデータを受信する本体受信部１０４から構成され、リモコン２０１は、表示装置と入力装置から成るタッチパネル２０２と、室内機１０１へデータを送信するリモコン送信部２０３と、前記タッチパネル２０２へ入力された情報を確定する設定ボタン３０１と、前記タッチパネル２０２へ入力された情報を消去する解除ボタン３０２から構成され、図２において、リモコン２０１は、前記タッチパネル２０２を制御する制御部４０１と、前記タッチパネル２０２にタッチ入力された座標位置を検出する入力検出部４０２と、前記入力検出部４０２で検出された座標位置情報を判定する入力判定部５０１と、前記入力判定部５０１で判定された判定結果を元に入力された軌跡を前記タッチパネル２０２へ表示するデータを出力する表示出力部４０３と、前記入力判定部５０１で判定された判定結果を元に前記リモコン送信部２０３を介して室内機１０１へ送信するデータを設定する送信データ設定部６０１から構成される。
【００２４】
ここで、前記入力判定部５０１は、前記入力検出部４０２で検出された座標位置情報を元に制御領域を設定する制御領域設定部５０２と、前記入力検出部４０２で検出された座標位置情報を元に領域温度を設定する領域温度設定部５０３から構成される。
【００２５】
請求項１の説明においては、前記入力判定部５０１に、制御領域設定部５０２を備えた構成とする。
【００２６】
以上のように構成された空気調和機について、以下その動作・作用を図３のフローチャートを使用して説明する。
【００２７】
まず、リモコン２０１のタッチパネル２０２において、ユーザーが温度制御を実施したい制御領域を入力する（ステップ１）。入力検出部４０２は、前記タッチパネル２０２に入力された情報からタッチされた座標位置を検出し、入力判定部５０１へ座標位置情報を
通知する（ステップ２）。前記入力判定部５０１は、前記入力検出部４０２から通知された座標位置情報を元に、表示出力部４０３を介して前記タッチパネル２０２へ入力された軌跡を表示出力（ステップ３）し、制御領域設定部５０２は、前記入力検出部４０２から通知された座標位置情報を蓄積する（ステップ４）。
【００２８】
ユーザーが制御領域の入力を完了（例えば、図１のタッチパネル２０２への表示内容）し、設定ボタン３０１を押下する（ステップ５）と、前記制御領域設定部５０２は、蓄積された座標位置情報から制御領域を確定（ステップ６）し、確定した制御領域情報を送信データ設定部６０１へ通知し、前記送信データ設定部６０１は、リモコン送信部２０３を介して室内機１０１へ制御領域を送信する（ステップ７）。室内機１０１は、本体受信部１０４を介して前記リモコン２０１から送信された制御領域情報を受信し、受信した制御領域情報に対応する制御領域に対して、上下フラップ１０２と左右フラップ１０３を制御することにより空調制御を行なう。
【００２９】
以上のように、本実施の形態においては、ユーザーが任意の制御領域を直感的に指定することが可能となるため、ユーザーは指定領域の形状や領域数を気にすることなく、容易に必要な制御領域の指定を行なうことができる。
【００３０】
また、本実施の形態においては、解除ボタン３０２を使用して、ユーザーが直前に入力した連続する座標位置情報をクリアする構成としてもよいものとし、ユーザーが設定ボタン３０１を押下しなくても、ユーザーの入力が終了してから予め設定された時間が経過した場合、前記制御領域設定部５０２においてユーザーの入力が完了したと判定し、それまでの座標位置情報を元に制御領域を確定し、送信データ設定部６０１へ通知する構成としてもよいものとする。
【００３１】
さらに、本実施の形態のタッチパネル２０２の制御方式は、抵抗膜方式でも静電容量方式であってもよいものとする。
【００３２】
請求項２の説明においては、請求項１の構成要件に加え、前記入力判定部５０１に、前記入力検出部４０２で検出された座標位置情報を元に領域温度を設定する領域温度設定部５０３を備えた構成とする。
【００３３】
以上のように構成された空気調和機について、以下その動作・作用を図４のフローチャートを使用して説明する。
【００３４】
まず、リモコン２０１のタッチパネル２０２において、ユーザーが温度制御を実施したい制御領域に対して設定温度を入力する（ステップ１）。入力検出部４０２は、前記タッチパネル２０２に入力された情報からタッチされた座標位置を検出し、入力判定部５０１へ座標位置情報を通知する（ステップ２）。前記入力判定部５０１は、前記入力検出部４０２から通知された座標位置情報を元に、表示出力部４０３を介して前記タッチパネル２０２へ入力された軌跡を表示出力（ステップ３）し、領域温度設定部５０３は、前記入力検出部４０２から通知された座標位置情報を蓄積する（ステップ４）。
【００３５】
ユーザーが設定温度の入力を完了（例えば、図５（ａ）のタッチパネル２０２への表示内容）し、設定ボタン３０１を押下する（ステップ５）と、前記領域温度設定部５０３は、蓄積された座標位置情報から対応する制御領域と設定温度を確定（ステップ６）し、確定した制御領域情報と設定温度情報を送信データ設定部６０１へ通知し、前記送信データ設定部６０１は、リモコン送信部２０３を介して室内機１０１へ制御領域情報と設定温度情報を送信する（ステップ７）。室内機１０１は、本体受信部１０４を介して前記リモコン２０１から送信された制御領域情報と設定温度情報を受信し、受信した制御領域情報に
対応する制御領域に対して、受信した設定温度となるよう上下フラップ１０２と左右フラップ１０３を制御することにより温度制御を行なう。
【００３６】
以上のように、本実施の形態においては、ユーザーが任意の制御領域に対する設定温度を直感的に指定することが可能となるため、ユーザーは指定領域の形状や領域数を気にすることなく、必要な制御領域に対する温度設定を容易に且つ細かく行なうことができる。
【００３７】
また、本実施の形態においては、解除ボタン３０２を使用して、ユーザーが直前に入力した連続する座標位置情報をクリアする構成としてもよいものとし、ユーザーが設定ボタン３０１を押下しなくても、ユーザーの入力が終了してから予め設定された時間が経過した場合、前記領域温度設定部５０３においてユーザーの入力が完了したと判定し、それまでの座標位置情報を元に対応する制御領域と設定温度を確定し、送信データ設定部６０１へ通知する構成としてもよいものとする。
【００３８】
さらに、本実施の形態においては、実施の形態１で入力された制御領域情報をタッチパネル２０２へ表示させたまま、ユーザーが設定温度情報を前記タッチパネル２０２へ入力してもよいものとし、制御領域情報を入力後、連続してユーザーが設定温度情報を入力してもよいものとする（例えば、図５（ｂ）のタッチパネル２０２への表示内容）。
【００３９】
（実施の形態２）
次に、本発明における第２の実施の形態について図６および図７を使用して説明する。
【００４０】
図６および図７は、実施の形態１に対して、室内機１０１に、リモコン２０１へデータを送信する本体送信部１０５と、温度センサ等の各領域の現在温度を検出する領域温度検出手段１０６と、超音波センサ等の領域形状・障害物を検出する領域形状検出手段１０７と、人感センサ等の人が存在する領域を検出する人体検出手段１０８を備え、リモコン２０１に、前記室内機１０１から送信されたデータを受信するリモコン受信部２０４と、前記リモコン受信部２０４で取得したデータを判定する受信データ判定部６０２と、前記領域温度検出手段１０６で検出された各領域の温度情報を元に、各領域の温度分布状態を判定する領域温度判定部５０４と、前記領域形状検出手段１０７で検出された各領域の領域形状・障害物情報を元に、領域形状・障害物が存在する領域を判定する領域形状判定部５０５と、前記人体検出手段１０８で検出された領域情報を元に、人が存在する領域を判定する人体判定部５０６とを備えた構成とする。ここで、前記室内機１０１には、温度制御を行なう領域を複数に分割した領域情報が予め設定されているものとする。
【００４１】
請求項３の説明においては、本体送信部１０５と、領域温度検出手段１０６と、リモコン受信部２０４と、領域温度判定部５０４を備えた構成とする。
【００４２】
以上のように構成された空気調和機について、以下その動作・作用を図８のフローチャートを使用して説明する。
【００４３】
まず、室内機１０１の領域温度検出手段１０６において、温度制御を行なう対象領域の現在温度を検出し、検出された領域情報と現在温度情報とを本体送信部１０５を介してリモコン２０１へ送信する（ステップ１）。リモコン２０１の受信データ判定部６０２は、リモコン受信部２０４を介して前記室内機１０１から送信された領域情報と現在温度情報を受信し、受信した領域情報と現在温度情報を入力判定部５０１へ通知する（ステップ２）。前記入力判定部５０１の領域温度判定部５０４は、前記受信データ判定部６０２から通知された領域情報と現在温度情報が、タッチパネル２０２のどの座標位置に対応する現在温度情報かを判定し、判定された座標位置に対応する現在温度として記憶する（ステップ３）。
【００４４】
前記領域温度判定部５０４において、全ての受信データに対して座標位置と現在温度の判定が終了する（ステップ４）と、前記領域温度判定部５０４は、隣接する座標位置の現在温度が同一かどうかを判定（ステップ５）し、隣接する座標位置の現在温度が一致する場合は、同一温度グループとしてグルーピングを行なう（ステップ６）。前記領域温度判定部５０４において、全ての座標位置に対して現在温度のグルーピング判定が終了する（ステップ７）と、表示出力部４０３を介して前記タッチパネル２０２へ現在温度の温度分布を表示出力する（ステップ８）（例えば、図９（ａ）のタッチパネル２０２への表示内容）。
【００４５】
以上のように、本実施の形態においては、ユーザーは制御領域の温度分布を容易に取得することが可能となるため、ユーザーは温度制御が必要な領域を取得した後に、必要な制御領域にのみ温度制御を行なうことができ、タッチパネル入力が合理化できる。
【００４６】
また、本実施の形態においては、リモコン２０１にモード設定ボタンを搭載し、前記モード設定ボタンを使用して、室内機１０１から現在温度情報を取得する温度取得モードに設定した場合のみ、室内機１０１から領域情報と現在温度情報を取得する構成としてもよいものとする。
【００４７】
請求項４の説明においては、請求項３の構成要件に加え、超音波センサ等の領域形状・障害物を検出する領域形状検出手段１０７と、前記領域形状検出手段１０７で検出された各領域の領域形状・障害物情報を元に、領域形状・障害物が存在する領域を判定する領域形状判定部５０５を備えた構成とする。
【００４８】
以上のように、本実施の形態においては、ユーザーは制御領域の領域形状、および障害物情報を容易に取得（例えば、図９（ｂ）のタッチパネル２０２への表示内容）することが可能となるため、ユーザーは適切な制御領域の指定と温度設定を直観的に行なうことができる。
【００４９】
また、本実施の形態においては、リモコン２０１にモード設定ボタンを搭載し、前記モード設定ボタンを使用して、室内機１０１から領域形状と障害物情報を取得する領域形状取得モードに設定した場合のみ、室内機１０１から領域情報と領域形状・障害物情報を取得する構成としてもよいものとする。
【００５０】
さらに、本実施の形態においては、前記モード設定ボタンを使用して、室内機１０１から全ての情報を取得する全情報取得モードに設定した場合は、室内機１０１から領域情報と現在温度情報、領域形状・障害物情報の全てを取得し、全ての情報をタッチパネル２０２へ表示する構成としてもよいものとする。
【００５１】
請求項５の説明においては、請求項４の構成要件に加え、人感センサ等の人が存在する領域を検出する人体検出手段１０８と、前記人体検出手段１０８で検出された領域情報を元に、人が存在する領域を判定する人体判定部５０６を備えた構成とする。
【００５２】
以上のように、本実施の形態においては、ユーザーは人が存在する位置を容易に取得（例えば、図９（ｃ）のタッチパネル２０２への表示内容）することが可能となるため、ユーザーは適切な制御領域の指定と温度制御を直観的に行なうことができる。
【００５３】
また、本実施の形態においては、リモコン２０１にモード設定ボタンを搭載し、前記モード設定ボタンを使用して、室内機１０１から人が存在する領域情報を取得する人情報取得モードに設定した場合のみ、室内機１０１から人が存在する領域情報を取得する構成と
してもよいものとする。
【００５４】
さらに、本実施の形態においては、前記モード設定ボタンを使用して、室内機１０１から全ての情報を取得する全情報取得モードに設定した場合は、室内機１０１から領域情報と現在温度情報、領域形状・障害物情報、人が存在する領域情報の全てを取得し、全ての情報をタッチパネル２０２へ表示する構成としてもよいものとする。
【００５５】
（実施の形態３）
次に、本発明における第３の実施の形態について図６および図１０を使用して説明する。
【００５６】
図１０は、実施の形態２に対して、入力検出部４０２で検出された座標位置情報を元に領域形状・障害物を設定する領域形状設定部５０７と、前記入力検出部４０２で検出された座標位置情報を元に室内機１０１の設置位置を設定する設置位置設定部５０８を備えた構成である。
【００５７】
請求項６の説明においては、請求項５の構成要件に加え、領域形状設定部５０７を備えた構成とする。
【００５８】
以上のように構成された空気調和機について、以下その動作・作用を図１１のフローチャートを使用して説明する。
【００５９】
まず、リモコン２０１のタッチパネル２０２において、ユーザーが制御領域内の領域形状・障害物形状を入力する（ステップ１）。入力検出部４０２は、前記タッチパネル２０２に入力された情報からタッチされた座標位置を検出し、入力判定部５０１へ座標位置情報を通知する（ステップ２）。前記入力判定部５０１は、前記入力検出部４０２から通知された座標位置情報を元に、表示出力部４０３を介して前記タッチパネル２０２へ入力された軌跡を表示出力（ステップ３）し、領域形状設定部５０７は、前記入力検出部４０２から通知された座標位置情報を蓄積する（ステップ４）。
【００６０】
ユーザーが領域形状・障害物形状の入力を完了（例えば、図６（ａ）のタッチパネル２０２への表示内容）し、設定ボタン３０１を押下する（ステップ５）と、前記領域形状設定部５０７は、蓄積された座標位置情報から領域形状・障害物形状を確定（ステップ６）し、確定した領域形状・障害物情報を送信データ設定部６０１へ通知し、前記送信データ設定部６０１は、リモコン送信部２０３を介して室内機１０１へ領域形状・障害物情報を送信する（ステップ７）。室内機１０１は、本体受信部１０４を介して前記リモコン２０１から送信された領域形状・障害物情報を受信し、受信した制御領域情報に対応する制御領域に対して、受信した領域形状に沿うよう、または障害物を回避するよう上下フラップ１０２と左右フラップ１０３を制御することにより空調制御を行なう。
【００６１】
以上のように、本実施の形態においては、ユーザーが任意の領域形状、障害物情報を直感的に指定することが可能となるため、室内機１０１は制御領域がどのような形状であっても、また、障害物が設置されている場合においても最適な空調制御を行なうことができる。
【００６２】
また、本実施の形態においては、解除ボタン３０２を使用して、ユーザーが直前に入力した連続する座標位置情報をクリアする構成としてもよいものとし、ユーザーが設定ボタン３０１を押下しなくても、ユーザーの入力が終了してから予め設定された時間が経過した場合、前記領域形状設定部５０７においてユーザーの入力が完了したと判定し、それまでの座標位置情報を元に領域形状・障害物情報を確定し、送信データ設定部６０１へ通知
する構成としてもよいものとする。
【００６３】
さらに、本実施の形態においては、リモコン２０１にモード設定ボタンを搭載し、前記モード設定ボタンを使用して、領域形状・障害物情報を設定する領域形状設定モードに設定した場合のみ、リモコン２０１から領域形状・障害物情報を設定する構成としてもよいものとし、前記領域形状設定部５０７で確定した領域形状・障害物情報を記憶する記憶部を備え、前記記憶部に記憶された領域形状・障害物情報を、ユーザーが必要な場合に前記タッチパネル２０２へ表示する構成としてもよいものとする。
【００６４】
請求項７の説明においては、請求項６の構成要件に加え、前記入力検出部４０２で検出された座標位置情報を元に室内機１０１の設置位置を設定する設置位置設定部５０８を備えた構成とする。
【００６５】
以上のように、本実施の形態においては、ユーザーが室内機１０１の設置位置を設定し、タッチパネル２０２へ表示する（例えば、図１２のタッチパネル２０２への表示内容の網掛け部）ことが可能となるため、ユーザーは直感的に室内機１０１と制御領域の位置関係が把握でき、空調制御を行なう領域を適切に指定することができる。
【００６６】
また、本実施の形態においては、リモコン２０１にモード設定ボタンを搭載し、前記モード設定ボタンを使用して、室内機１０１の設置位置を設定する設置位置設定モードに設定した場合のみ、室内機１０１の設置位置を設定する構成としてもよいものとし、前記設置位置設定部５０８で設定した設置位置情報を記憶する記憶部を備え、前記記憶部に記憶された設置位置情報を、ユーザーが必要な場合に前記タッチパネル２０２へ表示してもよいものとする。
【００６７】
さらに、本実施の形態においては、前記設置位置設定部５０８で設定した設置位置情報を、リモコン送信部２０３を介して室内機１０１へ送信し、室内機１０１の空調制御の補正を行なう構成としてもよいものとする。
【００６８】
なお、本実施の形態で説明した空気調和機の制御部４０１は、ＣＰＵ（またはマイコン）、ＲＡＭ、ＲＯＭ、記憶・記録空気調和機、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００６９】
以上のように本発明にかかるタッチパネルを使用した直感的な機器制御、機器情報を取得する方法は、空気調和機以外の家電機器においてもユーザーの操作性を向上させることができる。
【符号の説明】
【００７０】
１０１  室内機
１０２  上下フラップ
１０３  左右フラップ
１０４  本体受信部
１０５  本体送信部
１０６  領域温度検出手段
１０７  領域形状検出手段
１０８  人体検出手段
２０１  リモコン
２０２  タッチパネル
２０３  リモコン送信部
２０４  リモコン受信部
３０１  設定ボタン
３０２  解除ボタン
４０１  制御部
４０２  入力検出部
４０３  表示出力部
５０１  入力判定部
５０２  制御領域設定部
５０３  領域温度設定部
５０４  領域温度判定部
５０５  領域形状判定部
５０６  人体判定部
５０７  領域形状設定部
５０８  設置位置設定部
６０１  送信データ設定部
６０２  受信データ判定部
９０１  表示部
９０２  領域指定ボタン１
９０３  領域指定ボタン２
９０４  領域指定ボタン３
９０５  領域指定ボタン４
９０６  領域指定ボタン５
【図１】
2011185471.tif 000003
【図２】
2011185471.tif 000004
【図３】
2011185471.tif 000005
【図４】
2011185471.tif 000006
【図５】
2011185471.tif 000007
【図６】
2011185471.tif 000008
【図７】
2011185471.tif 000009
【図８】
2011185471.tif 000010
【図９】
2011185471.tif 000011
【図１０】
2011185471.tif 000012
【図１１】
2011185471.tif 000013
【図１２】
2011185471.tif 000014
【図１３】
2011185471.tif 000015